(57)【要約】【課題】ワン切りによる着信履歴が、電話に残ることによって生じる被害を軽減することの出来る、ワン切り対策機能付き電話端末を提供する。【解決手段】設定されたコール回数より少ないコール、又は設定された時間的長さより短いコールによる着信を着信履歴に記録させない機能を持たせる事により、いわゆるワン切りとされる、非常に少ない回数のコール、又は非常に短い時間的長さのコールによる着信を、着信履歴に記録させない。【選択図】　図１
2004129118.tif 000002
【特許請求の範囲】
【請求項１】
着信時に応答しなければ少なくともその時刻及び発信者の発信者番号を記録する着信履歴機能を持つ電話端末において、ある特定の回数又はある特定の時間的長さ以上のコールのみ不在着信の情報を記録する機能をユーザーが自由に設定可能とした事を特徴とする、ワン切り対策機能付き電話端末
【請求項２】
前記ある回数又はある時間的長さのコールの、回数又は時間的長さを、ユーザーが自由に設定出来る事を特徴とする、請求項１記載のワン切り対策機能付き電話端末
【発明の詳細な説明】
【０００１】
【発明の属する技術分野】
本発明はある回数、又はある時間的長さのコール以上のコールのみ不在着信の情報を記録する機能を備えた事により、電話のコールを１回前後、もしくは非常に短時間だけ鳴らし、着信時に応答しなければ少なくともその時刻及び発信者の発信者番号を記録する（以下本明細において「着信履歴」とする）着信履歴機能付き電話（以下、本明細書において単に「電話」とする）の着信履歴に電話番号を残しておくという、いわゆる「ワン切り」（以下、本明細書において「ワン切り」とする。）に関する被害を軽減することの出来るワン切り対策機能付き電話端末に関する。
【０００２】
【従来の技術】
近年、「ワン切り」という手法を使った迷惑電話が増え、着信履歴に不要な履歴が残る。ワン切りによって着信履歴に残っていた、見覚えのない番号にコールバックすると、アダルト番組やツーショットダイヤル、出会い系サイトなどの業者に繋がるという、業者（以下、本明細書において「ワン切り業者」とする。）に繋がり、氏名や住所を聞き出し、その後、脅迫めいた電話がかかってきて、高額な料金を請求される。ワン切り業者がいっせいに電話をかけるため電話線がパンクするなどの問題が起きている。
【０００３】
このワン切りへの対処法としては、見覚えのない着信履歴にはコールバックしない、履歴をすぐに消去する、電話会社が行う規制などがある。
しかし、電話会社の規制は個人では行うことが出来ないため個人に合わせた対策が立てにくい。コールバックをしない、履歴をすぐに消すなどの対処法はワン切りの根本的な解決にはなっていない。などの問題がある。
また、特定の電話番号からのコールを拒否する、いわゆる着信拒否機能などがあるが、通常ワン切りを行う業者は多数の電話番号をもっているので、ワン切りの対策としては効果が薄い。
また、いたずら目的の電話や間違い電話などのワン切りによって、必要な着信履歴が消去されるという問題も発生している。
【０００４】
【発明が解決しようとする課題】
本発明はこのような課題に鑑み創案されたもので、本発明者は、ワン切り業者がコールバックさせるために電話に着信履歴を残す事を目的とし、効率化と電話を取られるリスクを軽減するために、コールの回数を１回前後、もしくは１〜２秒前後と非常に短い時間のコールとしていることがほとんどであり、また、いたずら電話によるワン切りも電話を取られるリスクを軽減するために、コールの回数を１回以内、もしくは非常に短い時間としていることがほとんどであることを知見し、この知見に基づき本発明を創出するに至ったものである。
【０００５】
【課題を解決するための手段】
上記課題を解決する、本発明の請求項１に係る発明は、着信時に応答しなければ少なくともその時刻及び発信者の発信者番号を記録する着信履歴機能を持つ電話端末において、ある特定の回数又はある特定の時間的長さ以上のコールのみ不在着信の情報を記録するワン切り対策機能（以下本明細書において「ワン切り対策機能」とする）をユーザーが自由に設定可能とした、ワン切り対策機能付き電話端末とする。
【０００６】
本発明の請求項２に係る発明は、前記ある回数、又はある時間的長さのコールの回数又は時間的長さを、ユーザーが自由に設定出来る構成とした。
【０００７】
【発明の実施の形態】
本発明の実施形態について、図を参照して説明する。
図１は本発明の実施形態の動作を示すフローチャートである。
この実施形態によれば、電話がかかってきた際に、ワン切り対策機能を設定していなければ、コールの回数、コールの時間的長さに関わらず、着信履歴を記録し、ワン切り対策機能を設定していれば、ある特定のコール回数又は時間的長さ以上のコールがあった場合のみ着信履歴を記録し、それ以下であれば、着信履歴に記録を残さない。
【０００８】
このようにすれば、ワン切り業者からの電話や、いたずら電話によるワン切り、間違い電話など、非常に少ないコールの回数やコールの時間が非常に短い着信による履歴が残らないため、ワン切り業者によって電話に残された着信履歴をみて、ワン切り業者に電話をかける危険性が軽減される。また、いたずら電話や間違い電話などによるワン切りによって、必要な着信履歴が消去されるという問題も軽減できる。
尚、ある特定の回数又は時間的長さ以上のコールは、電話端末製造時にあらかじめ決められており、そのコールの回数又は時間的長さは、一般的にワン切りとされる、１回前後のコール、又は１秒〜２秒前後の呼び出し長さ以上であることが好ましい。
【０００９】
また、ワン切り対策機能を設定した際に、同時に履歴が残らないコールの回数又は時間的長さの間は、着信音が鳴らないようにすると、特定の回数又は時間的長さ以内のコールは電話がかかってきていないのと同じとなり、特にいたずら電話などの目的で行われる連続したワン切りによる、煩わしさが軽減されるので、なお好ましい。
【００１０】
本発明の第２の実施形態は、前記ある回数、又はある時間的長さのコールの回数又は時間的長さを、ユーザーが自由に設定出来るようにしたものである。
【００１１】
ワン切り業者の行うワン切りは、コールの回数を１回以内、もしくは非常に短い時間としていることがほとんどであると予想されるが、業者によってはあらかじめ設定された、コールの回数又は時間的長さ以上にコールする可能性がある。また、コール回数が固定であるワン切り対策機能付き電話端末が普及すると、その対策としてあらかじめ設定された、コールの回数又は時間的長さ以上にコール数を変更する可能性が出てくる。
また、いたずら電話などでは、発信者によって、コールの回数又は時間的長さが違うのが一般的である。
【００１２】
第２の実施形態のようにすると、ユーザーが自由に着信履歴に記録を残す基準となる、コールの回数又は時間的長さを設定出来るので、発信者に合わせた設定を自由に行えるようになり、ワン切りに対する幅広い対策処置が取れるようになる。
一方、ワン切り業者や、いたずら電話でワン切りをしようとする人は電話をかける発信者が、何回のコール又は時間的長さで着信履歴に記録が残るのか分からないため、非常にワン切りを行いにくくなる。
このため、ワン切り対策機能付き電話が普及する事により、ワン切りを行う発信者も減少するのではないかと思われる。
【００１３】
また、ワン切り対策機能を設定した際に、同時に履歴が残らないコールの回数又は時間的長さの間は、着信音が鳴らないようにすると、自由に設定した回数又は時間的長さ以内のコールは電話がかかってきていないのと同じとなり、ワン切りに対する対策処置の幅がさらにがる。
【００１４】
【実施例】
本発明に係るワン切り対策機能付き電話端末の実施例について、図に基づいて説明する。
【００１５】
図１を参照して説明すると、ワン切りに対する対策を行いたい時は、電話端末を操作して、ワン切り対策機能を設定しておく。例えばあらかじめ決められたコールの時間的長さが２秒と設定されていた場合、電話がかかってきた際、その着信のコールの時間的長さが、２秒以下であれば着信履歴を記録しない。
また、ワン切り対策機能の設定が行なわれていない場合には、コールの回数又は時間的長さに関わらず、着信履歴を記録する。
【００１６】
このように、あらかじめ決められた回数又は時間的長さ以下のコールを着信履歴に残さないということは、ワン切りによる着信履歴を見た後、発信者にコールバックする事によって発生するさまざまな問題や、ワン切りによる着信履歴によって、必要な着信履歴まで消えてしまうといった問題が軽減される。
【００１７】
前記ある回数、又はある時間的長さのコールの回数又は時間的長さを、ユーザーが自由に設定出来るようにした実施例について説明する。
希望した回数、又はある時間的長さ以下のコールに対してワン切りの対策を行いたい時は、電話端末を操作して、電話端末についているワン切り対策機能及び対策を行いたいコールの回数、又は時間的長さの設定しておく。例えば、ワン切り対策機能の設定を行い、ワン切り対策を行いたいコールの時間的長さを５秒に設定しておくと、電話がかかってきた際、その着信のコールの時間的長さが５秒以下であれば、着信履歴を記録しない。
また、例えば８秒以下のコールを着信履歴に記録させたくない場合は、電話を操作し、ワン切り対策を行うコールの時間的長さを８秒に設定しておく。
【００１８】
このように、ユーザーが設定を行った回数又は時間的長さ以下のコールを着信履歴に残さないということは、ユーザーに合わせたワン切り対策を行うことが可能ということであり、幅広いワン切り対策を行うことが出来る。
【００１９】
【発明の効果】
このように、設定された回数又は時間的長さ以下のコールを着信履歴に残さない事により、ワン切りが行なわれた後、電話にワン切りによる着信履歴が電話に残る事により発生する問題を軽減できる。
【図面の簡単な説明】
【図１】本発明の実施例の動作を示すフローチャートである。
【図１】
2004129118.tif 000003